(57)【要約】【課題】電気回路が筐体内に収容され、建物の壁に固定される取り付け板に取り付けられる電気機器において、配線口を覆う配線カバーを設け、配線作業のし易さと防水効果を達成した構成を提供する。【解決手段】筐体の背壁に配線が通る配線口が形成され、前記配線口を形成する縁部から後方へ延びる配線カバーを備え、前記配線カバーは、下側開口を有し後方へ延びるトンネル状の配線通路が形成され、前記下側開口が下側カバーで塞がれたこと。【選択図】図４
2018174615.tif 000002
【特許請求の範囲】
【請求項１】
電気回路が筐体内に収容され、建物の壁に取り付けられる電気機器において、
前記電気回路と外部装置との電気配線が前記筐体の背壁の後方へ延びる配線部分に前記電
気配線を覆う配線カバーを備え、
前記配線カバーは、下側開口を有し後方へ延びるトンネル状の配線通路が形成され、前記
下側開口が下側カバーで塞がれた、
ことを特徴する電気機器。
【請求項２】
電気回路が筐体内に収容され、建物の壁に取り付けられる電気機器において、
前記筐体の背壁に配線が通る配線口が形成され、
前記配線口から後方へ延びる配線カバーを備え、
前記配線カバーは、下側開口を有し後方へ延びるトンネル状の配線通路が形成され、前記
下側開口が下側カバーで塞がれた、
ことを特徴する電気機器。
【請求項３】
前記配線カバーは、前記配線口の縁部に取り付けられ配線開口を形成する周縁部と、前記
周縁部の前側に前記配線開口と連通する上向き開口を有し、前記周縁部の後側に前記周縁
部から後方へ延在し上壁及び左右壁で以って前記配線開口と連通して前記トンネル状の配
線通路が形成された、
ことを特徴する請求項１または２に記載の電気機器。
【請求項４】
前記配線カバーは、前記トンネル状の配線通路の左右側壁外面に前記下側カバーの取り付
け部を有し、
前記下側カバーは、前記下側開口を塞ぐ下壁と、前記下壁の左右端部から上方へ延出する
左右側壁と、前記左右側壁に形成され前記取り付け部に係止する係止部を一体形成した、
ことを特徴する請求項３に記載の電気機器。
【請求項５】
前記電気回路は、直流電力を商用電力系統と同期した所定の交流電力に変換し、変換した
交流電力を商用電力系統へ供給するための回路であることを特徴する請求項１乃至４のい
ずれかに記載の電気機器。
【発明の詳細な説明】
【技術分野】
【０００１】
本発明は、建物の壁に取り付けられる電気機器に関する。
【背景技術】
【０００２】
建物の壁の外面に取り付けられる電気機器の一つとして、太陽光発電システム用の電力変
換装置（パワーコンディショナと称する）がある。
パワーコンディショナは、その筐体内に、太陽電池が発電する直流電力を入力として昇圧
回路で昇圧し、商用電力系統と同期した所定の交流電力にインバータ回路で変換し、この
変換された交流電力を商用電力系統へ重畳可能とする電力変換回路を収容している。
【０００３】
このようなパワーコンディショナの壁への取り付けは、取り付けが容易な方法として、建
物の壁に固定した取り付け板の上端部に、パワーコンディショナの筐体の背面を係止し、
吊り下げ状態に支持する取り付け構造が採用される（特許文献１）。
【先行技術文献】
【特許文献】
【０００４】
【特許文献１】特開２０１２−２３１６４３号公報
【発明の概要】
【発明が解決しようとする課題】
【０００５】
建物の壁の外面に取り付けられるパワーコンディショナは、外部装置と電気的に接続され
る配線の配線作業や雨水の侵入防止対策として、外部装置との間の配線が接続される端子
部が、パワーコンディショナの筐体内の前面側の右下領域か左下領域に配置される。
【０００６】
パワーコンディショナと他の電気機器や電気装置（これらを外部装置という）と電気的に
接続される場合、外部装置が、パワーコンディショナに隣接して建物の壁の外面に取り付
けられる場合は、パワーコンディショナと外部装置との間に配設される配線は、パワーコ
ンディショナの筐体の下壁に貫通形成した外側配線孔を通して下方へ引き出される態様で
外部装置との間に配線される。
この場合、配線が下方へ引き出されるため、外側配線孔と配線との隙間をパテで塞ぐこと
により、外側配線孔からパワーコンディショナの筐体内への雨水の侵入は抑制される。
【０００７】
一方、外部装置が、建物の壁の内側面か建物内の室内に取り付けられる場合があり、この
場合は、前記端子部が配置された右下領域か左下領域に対応してパワーコンディショナの
筐体の背壁に配線口が形成され、この配線口に対応して建物の壁を貫通して内側配線孔が
形成され、この内側配線孔を通してパワーコンディショナと外部装置との間の電気配線が
行われる。
【０００８】
このように外部装置が建物の壁の内側面か建物内の室内に取り付けられる場合、配線口へ
の雨水の侵入を防止するために、配線口から内側配線孔の間の配線を覆う配線カバーが必
要となる。
【０００９】
本発明は、このように配線カバーを設ける場合において、配線作業の容易さを達成すると
共に、パワーコンディショナへの雨水の侵入を抑制することができる配線装置を提供する
ものである。
このため、本発明は、パワーコンディショナに限らず、電気回路が筐体内に収容され、建
物の壁に前記筐体を取り付ける電気機器に係る技術を提供する。
【課題を解決するための手段】
【００１０】
本発明は、電気回路が筐体内に収容され、建物の壁に取り付けられる電気機器において、
前記電気回路と外部装置との電気配線が前記筐体の後方へ延びる配線部分に前記電気配線
を覆う配線カバーを備え、
前記配線カバーは、下側開口を有し後方へ延びるトンネル状の配線通路が形成され、前記
下側開口が下側カバーで塞がれた、
ことを特徴する。
【発明の効果】
【００１１】
本発明によれば、建物の壁に電気機器を取り付ける形態において、電気機器の筐体から後
方へ向けて延びる配線部分に設けた配線カバーは下側開口を有するため、この下側開口を
利用して配線作業がし易く、配線作業後に下側開口が下側カバーで塞がれることにより、
配線部分の防水効果が得られるものとなる。
【図面の簡単な説明】
【００１２】
【図１】本発明の実施形態に係る電力変換装置の正面斜視図である。
【図２】本発明の実施形態に係る電力変換装置の蓋体を開けたときの本体内の各部の配置を示す説明用正面図である。
【図３】本発明の実施形態に係る電力変換装置の配線カバーと下側カバーの関係を説明するための背面斜視図である。
【図４】本発明の実施形態に係る電力変換装置の配線カバーと下側カバーの関係を説明するための縦断側面図である。
【図５】本発明の実施形態に係る電力変換装置の下側カバーの斜視図である。
【図６】図４において配線カバーに下側カバーが結合した状態を示す側面図である。
【図７】本発明の実施形態に係る電力変換装置の筐体の支持用取り付け板が建物の壁に固定された状態の断面図である。
【図８】本発明の実施形態に係る電力変換装置に係る発電配線システムの概略図である。
【発明を実施するための形態】
【００１３】
以下、本発明の実施形態の一つとして、太陽光などの再生可能エネルギーから得られる直
流電力を商用電力系統と同期した所定の交流電力に変換する電力変換回路が筐体内に収容
され、建物の壁に固定される取り付け板に形成した筐体係止部に前記筐体を引っ掛け係止
する電力変換装置について、図に基づき説明する。
【００１４】
図１及び図２に示すように、本発明の一実施形態に係る電力変換装置１は、再生可能エ
ネルギーから得られる直流電力を商用電力系統ＧＲＩＤへ重畳可能な交流に変換する電力
変換回路ＩＮＶを構成する電気部品が筐体２内に収容されている。筐体２は、金属製の本
体３と金属製の蓋体４によって構成し、本体３は、鋼板の一方の面がカラー塗装されたカ
ラー鋼板で構成され、カラー塗装された面を外側として、背壁３Ｅの周縁端部に上壁３Ａ
、下壁３Ｂ、左壁３Ｃ、右壁３Ｄで形成する周囲壁３Ｓで囲まれた前面開口３Ｆを有する
矩形状の箱を構成する。蓋体４は、鋼板の一方の面がカラー塗装されたカラー鋼板で構成
され、カラー塗装された面を外側とし、本体３の前面開口３Ｆを塞ぐように取り付けネジ
によって本体３に着脱自在に取り付ける。本体３と蓋体４との間はパッキン５で液密状態
に保たれる。
【００１５】
図８は、再生可能エネルギーの発電部として太陽電池ＰＶを採用する場合の電力変換装
置１において、太陽電池ＰＶがＰＶ１〜ＰＶ４の４系統である場合の単相二線式の電力変
換回路ＩＮＶの概略図である。
電力変換回路ＩＮＶの一つの系統である太陽電池ＰＶ１の第１系統の回路を例に挙げて
、太陽電池の出力する直流電力を交流電力に変換する構成について説明する。
【００１６】
太陽電池ＰＶ１で発電した直流電力は、開閉器ＳＷ及びノイズフィルタ回路ＮＦ１を経て
昇圧回路ＢＳに供給される。昇圧回路ＢＳは、直流用リアクトルＤＣＬ、スイッチング素
子Ｓ１、ダイオードＤＤ、コンデンサＣＤからなるチョッパ回路により構成され、スイッ
チング素子Ｓ１を所定の周波数でＯＮ／ＯＦＦすることにより、入力された直流電力の電
圧を所定の電圧に昇圧する。昇圧回路ＢＳで昇圧した電力をインバータ回路ＤＡへ出力す
る。
【００１７】
インバータ回路ＤＡは、複数のスイッチング素子Ｓ２をフルブリッジ接続した回路であり
、これらのスイッチング素子Ｓ２をＰＷＭ制御により周期的にＯＮ／ＯＦＦすることによ
り、直流電力を商用電力系統ＧＲＩＤの周波数に同期する疑似正弦波の交流電力に変換す
る。この変換された交流電力は、交流リアクトルＡＣＬ及びコンデンサＣＡからなるノイ
ズフィルタ回路ＮＦ２にて高周波成分を減衰させる。高周波成分が減衰された交流電力は
、リレー接点ＲＹを介して商用電力系統ＧＲＩＤへ重畳（供給）される。
【００１８】
制御回路ＰＣは、マイコン等からなり、昇圧回路ＢＳのスイッチング素子Ｓ１やインバー
タ回路ＤＡのスイッチング素子Ｓ２のＯＮ／ＯＦＦ動作の制御を行う。
【００１９】
図８に示すように、太陽電池ＰＶ２の第２系統、太陽電池ＰＶ３の第３系統、及び太陽
電池ＰＶ４の第４系統も、上記の太陽電池ＰＶ１の第１系統と同様の回路構成であり、直
流・交流変換回路ＤＡ以降の回路が共通となるように、直流・交流変換回路ＤＡの入力に
前記第２系統、第３系統、及び第４系統が並列接続される構成である。
【００２０】
建物内の電気負荷６は、商用電力系統ＧＲＩＤと電力変換装置１で作られた電力のいず
れかで稼働する仕組みであり、その詳細は省略している。
昇圧回路ＢＳ、直流・交流変換回路ＤＡ及びリレー接点ＲＹは、制御回路ＰＣによって動
作が制御される構成である。
なお、上記発電配線システムにおいて、商用電力系統ＧＲＩＤが単相三線式（ＵＯＷ）の
場合は、直流・交流変換回路ＤＡ以降の回路を単相三線式（ＵＯＷ）とすることにて対応
できる。
【００２１】
本体３内には電力変換装置１の電力変換回路ＩＮＶが収容されており、図２は蓋体４を
取り外した状態の本体３の周囲壁３Ｓの内側に電気回路部品の配置状態を示す正面図であ
り、本体３内に収容している電力変換回路ＩＮＶが、太陽電池ＰＶ１〜ＰＶ４の４系統の
場合の電気回路部品で構成されたものである。
図２において、本体３内の左隅の領域は太陽電池ＰＶ１〜ＰＶ４からの直流入力の配線
領域３Ｑであり、本体３内の右隅の領域は電力変換回路ＩＮＶから出力される交流出力の
配線領域３Ｒである。
【００２２】
配線領域３Ｑには、上部に、直流入力ラインの接続端子部８を設けている。接続端子部
８は、太陽電池ＰＶ１〜ＰＶ４の４系統にそれぞれ対応する４個の直流入力ラインの接続
端子部８Ａ〜８Ｄを備えており、本体３の下壁に貫通形成した直流入力ライン導入孔に取
り付けた案内パイプ７Ａ、７Ｂを通して配線される。
配線領域３Ｑの上方に配置した第１基板ＰＣ１には、主として、電力変換回路ＩＮＶの入
力側の電気回路部品が取り付けられている。
【００２３】
配線領域３Ｒには、上部に、電力変換装置１と外部装置（商用電力系統ＧＲＩＤや電気
負荷６等）と電気的に接続される配線の接続端子部１０が配置されている。配線領域３Ｒ
には、更に本体３の下壁に、接続端子部１０から外部装置（商用電力系統ＧＲＩＤや電気
負荷６等）へ配線される交流出力ラインの導出孔に取り付けた案内パイプ９Ａ〜９Ｃ、及
び商用電力系統ＧＲＩＤの停電時に電力変換回路ＩＮＶの予備電源となる蓄電池（図示せ
ず）からの電力供給ラインが配線される直流入力力ライン導入孔に取り付けた案内パイプ
９Ｄが設けられ、更に本体３の下壁には、制御ライン導入孔に取り付けた案内パイプ９Ｅ
が設けられている。
【００２４】
配線領域３Ｒの上方に配置した第２基板ＰＣ２には、主として、電力変換回路ＩＮＶの
出力側の電気回路部品が取り付けられている。
第１基板ＰＣ１と第２基板ＰＣ２との間の領域に第３基板ＰＣ３が配置されている。第３
基板ＰＣ３には、主として、昇圧回路ＢＳ及びインバータ回路ＤＡの電気回路部品が配置
される。このため第３基板ＰＣ３の裏側には、太陽電池ＰＶ１〜ＰＶ４の４系統にそれぞ
れ対応する昇圧回路ＢＳのスイッチング素子Ｓ１、インバータ回路ＤＡのスイッチング素
子Ｓ２、及びその他の電気回路部品が配置され、第３基板ＰＣ３の表側に、昇圧回路ＢＳ
のコンデンサＣＤ等が配置される。
【００２５】
電力変換回路ＩＮＶは、直流電力を交流電力に変換する際に発熱する発熱部品を有する
。この発熱部品の代表的なものがスイッチング素子Ｓ１及びＳ２である。これら部品は発
熱して高温となるため、その発熱を放散するために、アルミニウム等の熱伝導良好なヒー
トシンク１４に取り付けられる。ヒートシンク１４は、第３基板ＰＣ３に対応して本体３
の背壁３Ｅに取り付けられる。ヒートシンク１４は、平板状の基板部１４Ａとこの基板部
１４Ａから左右方向に並列に配置された複数の放熱フィン１４Ｂを有し、本体３の背壁３
Ｅに形成した開口を塞ぐように本体３の背壁３Ｅの外面に基板部１４Ａが取り付けられ、
放熱フィン１４Ｂが後方へ突出し、放熱フィン１４Ｂ間に上下方向の複数の空気通路を形
成する。前記発熱部品は基板部１４Ａの前面に熱伝導的に配置される。
【００２６】
筐体２は、建物の略垂直な壁Ｋの外側面に固定する取り付け板２２に引っ掛け方式で取
り付ける。
取り付け板２２は、鋼板の一方の面がカラー塗装されたカラー鋼板で構成され、正面視
で筐体２からはみ出ないように、筐体２の背面に収まる大きさであって、筐体２が横長矩
形状である場合、それに合わせるように横長矩形状をなす。
【００２７】
図７に示すように、取り付け板２２は、建物の壁Ｋの外側面に取り付け孔２３を通してネ
ジ２４にて複数個所で取り付ける。その取り付け状態において、取り付け板２２の上端部
には、壁Ｋとの間に所定間隔Ｓで左右及び上方に開いた係止溝２２Ｍを形成するように筐
体係止部２２Ａを屈曲形成する。筐体係止部２２Ａは、上端部が前方へ少し屈曲し、壁Ｋ
との間に略均一な前後の隙間Ｓの係止溝２２Ｍが左右方向に略水平に延びる状態である。
取り付け板２２の塗装されない面は導電性を有するため、アース接続することにより、
電力変換装置１から取り付け板２２へ漏電した時の感電の回避を図る。
【００２８】
筐体２は、図３に示すように、取り付け板２２の筐体係止部２２Ａに係止するために、
筐体２の背面側の上部において左右間の中央部に位置するように、水平方向の係止受け部
２５を備える。係止受け部２５は、略平坦な板の左右端部に前方へ屈曲した取り付け部を
有し、この取り付け部を、ヒートシンク１４の上部の左右両側にネジ止めＮＪ４する。こ
れによって、係止受け部２５は、放熱フィン１４Ｂの後端部との間に、筐体係止部２２Ａ
が進入できる隙間が形成される。
【００２９】
この様な構成において、建物の壁Ｋに固定した取り付け板２２に対し、筐体２の係止受
け部２５を係止溝２２Ｍの上方から筐体係止部２２Ａに引っ掛け係止する。このため、隙
間Ｓは、係止受け部２５の厚さと同等もしくは若干大きな寸法でもって、左右方向に均一
な隙間Ｓを形成している。筐体係止部２２Ａの上端２２Ａ１は、係止受け部２５の挿入時
のガイド作用と補強のために、前方へ屈曲している。
【００３０】
電力変換装置１と電気的に接続される外部装置が、電力変換装置１に隣接して建物の壁の
外面に取り付けられる場合は、電力変換装置１と外部装置との間に配設される配線は、本
体３の下壁に取り付けた案内パイプ９Ａ〜９Ｃを通って配線され、案内パイプ９Ａ〜９Ｃ
から上方へ延びる配線の一端が、配線口１１の上部に設けた接続端子部１０に接続され、
案内パイプ９Ａ〜９Ｃから下方へ延びる配線の他端は、外部装置の端子部へ接続される。
案内パイプ９Ａ〜９Ｃの配線が通る部分の隙間は、パテ等で塞ぐことにより筐体２内への
雨水の侵入は抑制される。案内パイプ９Ｄ、９Ｅの部分も同様である。
【００３１】
図２、図４に示すように、電力変換装置１の電力を建物内に設置した外部装置（商用電力
系統ＧＲＩＤの配電盤や電気負荷６等）に接続するために、配線領域３Ｒに対応する本体
３の背壁３Ｅには、接続端子部１０よりも外側に寄った筐体２内の隅部に、接続端子部１
０から配線される交流出力ラインの配線口１１が形成されている。また、外部装置との配
線のために、配線口１１に対応してその後方の建物の壁Ｋに屋内配線用開口が貫通形成さ
れる。その場合、この屋内配線用開口に対応して取り付け板２２に配線用窓２７が切り欠
きまたは孔として形成される。この屋内配線用開口及び配線用窓２７を通して外部装置と
の間の電気配線が行われる。
【００３２】
図２、図４、図６に示すように、本発明では、筐体２内の電気回路と外部装置との電気配
線が筐体２の後方へ延びる配線部分に前記電気配線を覆うように、配線口１１に連接して
後方へ延びる配線カバー１６を設けている。配線カバー１６は合成樹脂製であり、配線口
１１と略同じ大きさの配線開口１６Ｑを形成する周縁部１６Ａ２と、周縁部１６Ａ２の前
側に配線開口１６Ｑと連通する開口１７を有し、周縁部１６Ａ２の後側には、周縁部１６
Ａ２から後方へ延在し上壁１６Ｕ及び左右壁１６Ｓで以って配線開口１６Ｑと連通するト
ンネル状の配線通路ＴＮを形成する。トンネル状の配線通路ＴＮは下側に下側開口１６Ｋ
を有する門型をなす。周縁部１６Ａ２は、配線口１１と略同じ大きさの配線開口１６Ｑを
形成して、配線口１１の周縁部にネジＮＪ５で取り付けられ、開口１７とトンネル状の配
線通路ＴＮとを連通状態とする。
【００３３】
図１、図３、図４、図６に示すように、放熱フィン１４Ｂ及び配線カバー１６を上下左右
から取り囲むように、筐体２に周囲カバー２０を備える。周囲カバー２０は、上部カバー
部２０Ａと下部カバー部２０Ｂとからなり、放熱フィン１４Ｂ及び放熱フィン１５ＡＦ、
１５ＢＦへの空気流通が行われるように、周囲カバー２０の上下壁及び左右壁には、図示
のように前後方向に長い多数の通風孔２１が形成されている。
【００３４】
配線作業において、壁Ｋに取り付け板２２を固定する前、または建物の壁Ｋに貫通形成し
た屋内配線用開口に配線用窓２７が対応するよう壁Ｋに取り付け板２２を固定した状態、
または壁Ｋに固定した取り付け板２２に筐体２を引っ掛け支持した状態（これは筐体２の
最終固定状態ではない）、のいずれにおいてもよいが、建物の内部に設置される外部装置
から延びる電気配線の一端が、建物の壁Ｋを貫通する屋内配線用開口及び配線用窓２７を
通り壁Ｋの外側へ垂れる状態とする。この状態において、壁Ｋの外側へ垂れた電気配線の
一端を配線カバー１６の下側開口１６Ｋを通り、配線カバー１６の上向き開口１７を通し
て接続端子部１０へ接続した後、配線の弛み等を調整する。これによって、電力変換装置
１と外部装置との電気的接続が達成される。
【００３５】
このようにして配線を行った後、上部カバー部２０Ａと下部カバー部２０Ｂを筐体２と建
物の壁Ｋとの間に挿入し筐体２に取り付けると共に、上部カバー部２０Ａと下部カバー部
２０Ｂはそれぞれの左右壁が重合状態でネジ止めＮＪ３される。この状態で、筐体２の下
端部を取り付け板２２の下端部に適宜ネジ止めして最終固定状態とする。
【００３６】
上記のように、トンネル状の配線通路ＴＮは下側に下側開口１６Ｋを有するため、このま
まに状態では、強い風雨の状況では、この下側開口１６Ｋから配線カバー１６内に雨水が
侵入し、その雨水が上向き開口１７を通して接続端子部１０へ飛散する虞がある。
本発明は、上記のような配線カバー１６の下側開口１６Ｋを通した配線作業のし易さを確
保すると共に、この下側開口１６Ｋを通した雨水の侵入を防止するために、上記のような
配線作業が終了した後、下側開口１６Ｋを塞ぐ下側カバー１６Ｂを配線カバー１６に取り
付ける構成である。
以下、その構成を図３乃至図６に基づき説明する。
【００３７】
配線カバー１６は、下側カバー１６Ｂの取り付け部１６Ｆとして、左右壁１６Ｓの下端部
外側にそれぞれ水平状態に突出し前後方向に延びる係止フランジ１６Ｆを有する。係止フ
ランジ１６Ｆは、後部から前部へ向けて水平方向の張り出しが大きくなる傾斜状であるが
、後部から前部へ向けて水平方向の張り出しが略同じであってもよい。
【００３８】
一方、下側カバー１６Ｂは合成樹脂製であり、下側開口１６Ｋを塞ぐ下壁１６Ｂ１と、下
壁１６Ｂ１の左右端部から上方へ並行に延出する左右側壁１６Ｂ２と、左右側壁１６Ｂ２
の上端部に係止フランジ１６Ｆに係止するための相対向状態の内向きカギ状の係止部１６
ＢＦを一体形成している。左右側壁１６Ｂ２は、前後方向に平行であってもよく、また係
止フランジ１６Ｆの傾斜に沿うように、後部から前方へ向けて相互間隔が広がる並行状態
であってもよい。
【００３９】
配線カバー１６が配線口１１の周縁部にネジＮＪ５で取り付けられ、上記のように配線作
業が終了した段階で、周囲カバー２０を取り付ける前であって筐体２を取り付け板２２に
最終固定状態とする前に、配線カバー１６に下側開口１６Ｋを塞ぐように下側カバー１６
Ｂを取り付ける。
この取り付けは、下側カバー１６Ｂのカギ状の係止部１６ＢＦを配線カバー１６の係止フ
ランジ１６Ｆに係止することにより行われる。
この係止操作において、係止部１６ＢＦが若干の弾性を有しておれば、係止操作がし易く
なる。
また、図３に示すように、係止フランジ１６Ｆが後部から前部へ向けて水平方向の張り出
しが大きくなる傾斜状であるため、この傾斜に合わせるように、図５に示すように、係止
部１６ＢＦが左右側壁１６Ｂ２に対して、後方から前方へ向けて張り出しが大きくなるよ
うに形成している。
【００４０】
このようにして配線カバー１６に下側カバー１６Ｂが取り付けられることにより、下側開
口１６Ｋが塞がれ、下側開口１６Ｋから配線カバー１６内に雨水が侵入することは防止さ
れる。
この場合、係止フランジ１６Ｆに係止部１６ＢＦを係止する関係によって配線カバー１６
に下側カバー１６Ｂが取り付けられるため、上記のような配線作業後に筐体２と取り付け
板２２との間隔における取り付け作業がし易くなる。
なお、建物の壁Ｋに貫通形成した屋内配線用開口に達する雨水は、屋内配線用開口を通る
配線部分の隙間をパテシール等によって塞ぐことにより、その部分を防水構造とすること
ができる。
【００４１】
筐体２が取り付け板２２に最終固定された状態で、配線カバー１６の後端と取り付け板２
２との間に隙間が生じる場合には、この隙間を極力小さくするために、図示のように、下
側カバー１６Ｂの左右側壁１６Ｂ２の後端部に、配線カバー１６の左右壁１６Ｓの後端部
に当接または重合し上壁１６Ｕに達するフランジ１６ＢＨを形成することにより、この隙
間からの雨水の侵入防止ができる。
【００４２】
なお、配線カバー１６の上壁１６Ｕの左右両側部分には、周縁部１６Ａ２から後方に向け
て前後方向に並行に延びた防水フランジ１６ＵＦを形成する。これにより、周縁部１６Ａ
２と防水フランジ１６ＵＦによって、上壁１６Ｕに降り掛かる雨水は後方へ流れ、開口１
７へ達することが防止できる。
また、係止フランジ１６Ｆ及び防水フランジ１６ＵＦによって、配線カバー１６の上壁１
６Ｕ及び左右壁１６Ｓの補強ができる。
【００４３】
上記の構成によって、開口１７は上方へ向けて開いているため、トンネル状の配線通路
ＴＮを通る配線は、上向きの開口１７を通して接続端子部１０へ行うことができ、接続端
子部１０への配線がし易く、且つ、配線カバー１６及び下側カバー１６Ｂによって、配線
口１１への雨水の侵入が抑制され、筐体２内の電気部品を雨水から保護できることとなる
。
【００４４】
上記において、接続端子部８及び１０の配置、第１基板ＰＣ１及び第２基板ＰＣ２の配
置は、左右入れ替えた状態でもよく、またこれに限らず、筐体２内の電気回路部品の配置
は、上記に限定されない。
【００４５】
上記の実施形態は、太陽光などの再生可能エネルギーから得られる直流電力を商用電力
系統と同期した所定の交流電力に変換する電力変換回路が筐体内に収容された電力変換装
置について説明したが、他の壁設置型電気機器においても同様の効果を奏することができ
る。
即ち、電気部品を有する電気回路が筐体内に収容された壁設置型電気機器において、建
物の壁Ｋに固定される取り付け板２２に形成した筐体係止部２２Ａに、前記筐体２を引っ
掛け係止する形態であれば、上記同様の作用を達成し、同様の効果を奏することができる
。
【符号の説明】
【００４６】
１・・・・・電力変換装置
２・・・・・筐体
３・・・・・本体
３Ｅ・・・・本体の背壁
４・・・・・蓋体
５・・・・・パッキン
１０・・・・接続端子部
１１・・・・配線口
１６・・・・配線カバー
１６Ａ２・・周縁部
１６Ｂ・・・下側カバー
１６Ｂ１・・下壁
１６Ｂ２・・左右壁
１６ＢＦ・・係止部
１６Ｆ・・・取り付け部（係止フランジ）
１６Ｋ・・・下側開口
１６Ｑ・・・配線開口
１６Ｓ・・・左右壁
１６Ｕ・・・上壁
１７・・・・上向き開口
２２・・・・取り付け板
２２Ａ・・・筐体係止部
２５・・・・係止受け部
ＴＮ・・・・トンネル状の配線通路
【図１】
2018174615.tif 000003
【図２】
2018174615.tif 000004
【図３】
2018174615.tif 000005
【図４】
2018174615.tif 000006
【図５】
2018174615.tif 000007
【図６】
2018174615.tif 000008
【図７】
2018174615.tif 000009
【図８】
2018174615.tif 000010